(57)【要約】【課題】サッカーなどのスポーツシューズ用靴底に関し、ベースより耐摩耗性の高い材質からなるポイント部材が挿入された状態で取り付けて耐摩耗性が良好で且つ軽量性に優れた靴底を提供する。【解決手段】合成樹脂からなるベース１０の接地面側に複数個のポイント１１を突出形成したスポーツシューズ用靴底Ａにおいて、ポイント１１にはベース１０より耐摩耗性の高い材質からなるポイント部材２０が挿入された状態で取り付けられている。ベース１０の材質は硬質ウレタンからなり、ポイント部材２０の材質は硬質ウレタンより耐摩耗性の高いゴム又は竹からなることを特徴とする。【選択図】図１
0003123575.tif 000002
【実用新案登録請求の範囲】
【請求項１】
合成樹脂からなるベースの接地面側に複数個のポイントを突出形成したスポーツシューズ用靴底において、前記ポイントには前記ベースより耐摩耗性の高い材質からなるポイント部材が挿入された状態で取り付けられていることを特徴とするスポーツシューズ用靴底。
【請求項２】
前記ベースの材質は硬質ウレタンからなり、前記ポイント部材の材質は硬質ウレタンより耐摩耗性の高いゴム又は竹からなることを特徴とする請求項１に記載のスポーツシューズ用靴底。
【請求項３】
前記ポイント部材の外側面は円錐台状に形成されており、前記ポイント部材の接地面側の小径先端部に露出部を形成し当該先端部が露出した状態で取り付けられていることを特徴とする請求項１又は請求項２に記載のスポーツシューズ用靴底。
【請求項４】
前記ポイント部材の外側面を覆うポイント壁部を形成し、前記ポイント部材を前記ポイント壁部の内部に圧入して嵌着させた後に金型内に固定してベースと一体的に成型することを特徴とする請求項１乃至請求項３のいずれか１項に記載のスポーツシューズ用靴底。
【考案の詳細な説明】
【技術分野】
【０００１】
本考案は、サッカーなどのスポーツシューズ用靴底に関し、特に耐摩耗性が良好で且つ軽量性に優れた靴底に関する。
【背景技術】
【０００２】
サッカー、ラグビー、野球用の運動靴の靴底として、例えば、スタッドと靴底本体とを全て硬質ゴムで一体的に形成したものがある。しかしながらこのようなタイプのものでは、起伏の激しい土壌のグランドでは、硬質ゴムの有する材料特性から耐摩耗性に優れ、殊にスタッドの使用寿命を永く維持できるという利点はあるが、靴底本体の反発弾性及び耐屈曲性に劣るため、靴着用者の足裏の瞬発力を靴底に伝達し難く、強力なキック力を有効に活かしきれないという欠陥があった。また靴甲被内における靴着用者の足の激しい動きに対して靴底に撓みが生じ易く、安定性に乏しく加えて軽量性に欠けるという欠陥もあった。他方スタッド及び靴底本体をポリウレタンのような熱可塑性樹脂で一体的に形成したものがある。しかしながらこのタイプのものにあっては、ポリウレタン樹脂の有する材料特性から、前述した硬質ゴムに比して剛性があって、反発弾性及び耐屈曲性には優れているが、耐摩耗性及び衝撃緩和力に劣るという欠陥があった。従って、殊に直接地面と接するスタッドは早期に摩耗し、使用寿命を永く維持できず、かつまた靴底本体は充分な衝撃緩衝がなしえず、足の早期疲労につながる等の欠陥もあった。
【０００３】
そこで、スポーツシューズ用靴底に関し、従来の靴底の欠陥を克服するために耐摩耗性が良好でかつ衝撃緩和に優れた靴底の提案がなされている。
例えば、実開平５−８６２０５号公報には、サッカー、ラグビー、野球用の運動靴の靴底の改良に関するものであって、耐摩耗性が良好でかつ衝撃緩和に優れた「スタッド付靴底」が開示されている（特許文献１）。
【０００４】
上記考案によれば、靴底本体に突設したスタッドと該スタッドを起立させている基底部を硬質ゴムにて一体的に形成することにより、硬質ゴムの有する材料特性を有効に生かし耐摩耗性に優れたスタッドを有する靴底を提供するとともに、基底部を被覆する基盤部を熱可塑性樹脂で形成したことによって、靴着用者の足裏の瞬発力を靴底に有効に伝達させ、強力なキック力を働かせることができる。また靴甲被内における靴着用者の足の激しい動きに対しても靴底に撓みが生じ難く、靴着用時の安定性が良い、更にスタッドを支持する基底部が完全に基盤部に被覆される構成のため両者の結合力が強く、スタッドの地面保持力を高める作用を奏功する。
【０００５】
しかしながら、上記考案では、スタッドと基底部を硬質ゴムにて一体的に形成し、その基底部を熱可塑性樹脂の基盤部によって被覆するという２重構造を採用しているため、靴底の軽量性に欠けるという従来の欠陥を解決することができない。
【０００６】
【特許文献１】実開平５−８６２０５号公報
【考案の開示】
【考案が解決しようとする課題】
【０００７】
本考案は、サッカーなどのスポーツシューズ用靴底に関するものであって、ベースより耐摩耗性の高い材質からなるポイント部材が挿入された状態で取り付けて耐摩耗性が良好で且つ軽量性に優れた靴底を提供することを目的とする。
【課題を解決するための手段】
【０００８】
上記課題を解決するために、請求項１に記載の考案は、合成樹脂からなるベースの接地面側に複数個のポイントを突出形成したスポーツシューズ用靴底において、前記ポイントには前記ベースより耐摩耗性の高い材質からなるポイント部材が挿入された状態で取り付けられている構成を採用したのである。
【０００９】
また、請求項２に記載の考案について、請求項１に記載の前記ベースの材質は硬質ウレタンからなり、前記ポイント部材の材質は硬質ウレタンより耐摩耗性の高いゴム又は竹からなることを特徴とする。
【００１０】
また、請求項３に記載の考案について、請求項１又は請求項２に記載の前記ポイント部材の外側面は円錐台状に形成されており、前記ポイント部材の接地面側の小径先端部に露出部を形成し当該先端部が露出した状態で取り付けられていることを特徴とする。
【００１１】
また、請求項４記載の考案について、請求項１乃至請求項３のいずれか１項に記載の前記ポイント部材の外側面を覆うポイント壁部を形成し、前記ポイント部材を前記ポイント壁部の内部に圧入して嵌着させた後に金型内に固定してベースと一体的に成型することを特徴とする。
【考案の効果】
【００１２】
以上のように、本考案によれば、ポイントにはベースより耐摩耗性の高い材質からなるポイント部材が挿入された状態で取り付けられていることから、ポイント部分の耐摩耗性が良好で且つ軽量性に優れた靴底とすることができる。
【考案を実施するための最良の形態】
【００１３】
以下、本考案の実施形態について、図面を参酌しながら説明する。なお、本考案にかかるスポーツシューズ用靴底は、以下の実施例に限定されるものではなく、ポイント及びポイントに挿入されるポイント部材の個数、位置、構造、材質に関し、例えばサッカーシューズ用として適したものにそれぞれ設定することができ、また使用状況や使用目的によって適宜変更することもできる。
【００１４】
図１は本考案にかかるスポーツシューズ用靴底の側面並びに断面構造を示す説明図、図２は本考案にかかるスポーツシューズ用靴底の底面図である。
【００１５】
図１及び図２に示すように、スポーツシューズ用靴底Ａは、合成樹脂からなるベース１０の接地面側に複数個のポイント１１が突出形成されており、ポイント１１にはベース１０より耐摩耗性の高い材質からなるポイント部材２０が挿入された状態で取り付けられている。
【００１６】
ベース１０の材質は、例えば硬質ウレタンからなり、ポイント部材２０の材質は硬質ウレタンより耐摩耗性の高い材質、例えばゴム又は竹からなる。
【００１７】
図３乃至図５に示すように、ポイント部材２０の外側面２１は円錐台状に形成されている。また、ポイント部材２０の接地面側の小径の先端部２２に露出部が形成され、ポイント１１からポイント部材２０の先端部２２が露出した状態で取り付けられる。
【００１８】
（ポイント部材の第１実施例）
図３は、本考案にかかるスポーツシューズ用靴底に挿入された状態で取り付けられるポイント部材の第１実施例を示す側面図である。
合成樹脂（例えば硬質ウレタン）からなるベース１０ａの接地面側に複数個のポイント１１ａが突出形成されており、ポイント１１aにはベース１０ａより耐摩耗性の高い材質（硬質ウレタンより耐摩耗性の高い材質、例えばゴム又は竹）からなるポイント部材２０ａが挿入された状態で取り付けられる。
ポイント部材２０ａの外側面２１ａは円錐台状に形成されている。また、ポイント部材２０ａの接地面側の小径の先端部２２ａに露出部が形成されている。
この第１実施例では、図３に示すように、ポイント１１ａの接地面側の先端部分には傾斜面が形成されており、この先端部分からポイント部材２０ａの先端部２２ａが露出した状態で取り付けられる。
【００１９】
（ポイント部材の第２実施例）
図４は、本考案にかかるスポーツシューズ用靴底に挿入された状態で取り付けられるポイント部材の第２実施例を示す側面図である。
合成樹脂（例えば硬質ウレタン）からなるベース１０ｂの接地面側に複数個のポイント１１ｂが突出形成されており、ポイント１１ｂにはベース１０ｂより耐摩耗性の高い材質（硬質ウレタンより耐摩耗性の高い材質、例えばゴム又は竹）からなるポイント部材２０ｂが挿入された状態で取り付けられる。
ポイント部材２０ｂの外側面２１ｂは円錐台状に形成されている。また、ポイント部材２０ｂの接地面側の小径の先端部２２ｂに露出部が形成されている。
この第２実施例では、図４に示すように、ポイント１１ｂの接地面側の先端部分からポイント部材２０ｂの先端部２２ｂの半分程度が露出した状態で取り付けられる。
【００２０】
（ポイント部材の第３実施例）
図５は、本考案にかかるスポーツシューズ用靴底に挿入された状態で取り付けられるポイント部材の第３実施例を示す側面図である。
合成樹脂（例えば硬質ウレタン）からなるベース１０ｃの接地面側に複数個のポイント１１ｃが突出形成されており、ポイント１１ｃにはベース１０ｃより耐摩耗性の高い材質（硬質ウレタンより耐摩耗性の高い材質、例えばゴム又は竹）からなるポイント部材２０ｃが挿入された状態で取り付けられる。
ポイント部材２０ｃの外側面２１ｃは円錐台状に形成されている。また、ポイント部材２０ｃの接地面側の小径の先端部２２ｃに露出部が形成されている。
この第３実施例では、図５に示すように、ポイント１１ｃの接地面側の先端部分からポイント部材２０ｃの先端部２２ｃの全部が露出した状態で取り付けられる。
【００２１】
最後に、スポーツシューズ用靴底Ａの製造方法の一例について説明する。
１）ポイント部材２０の外側面２１を覆うポイント壁部３０を形成しておく（図６参照）。
２）図６に示すように、ポイント部材２０をポイント壁部２１の内部に圧入して嵌着させる。このとき、ポイント部材２０の外側面２１に接着剤（エポキシ）を塗布して強固に結合させるのが好ましい。
３）ポイント部材２０をポイント壁部２１の内部に圧入して嵌着させたパーツを形成した後に、射出成形用の金型内にパーツを固定してベースと一体的に成型する。なお、上述した製造方法は一例であって他の方法で製造することも可能である。
このように製造されたサッカーなどのスポーツシューズ用靴底のポイントにはベースより耐摩耗性の高い材質からなるポイント部材が挿入された状態で取り付けられていることから、ポイント部分の耐摩耗性が良好で且つ軽量性に優れた靴底とすることができる。
【図面の簡単な説明】
【００２２】
【図１】本考案にかかるスポーツシューズ用靴底の側面並びに断面構造を示す説明図である。
【図２】本考案にかかるスポーツシューズ用靴底の底面図である。
【図３】本考案にかかるスポーツシューズ用靴底に挿入された状態で取り付けられるポイント部材の第１実施例を示す側面図である。
【図４】本考案にかかるスポーツシューズ用靴底に挿入された状態で取り付けられるポイント部材の第２実施例を示す側面図である。
【図５】本考案にかかるスポーツシューズ用靴底に挿入された状態で取り付けられるポイント部材の第３実施例を示す側面図である。
【図６】ポイント部材をポイント壁部の内部に圧入して嵌着させた状態を示す斜視図である。
【符号の説明】
【００２３】
Ａ    スポーツシューズ用靴底
１０  ベース
１１  ポイント
２０  ポイント部材
２１  外側面
２２  先端部
３０  ポイント壁部
【図１】
0003123575.tif 000003
【図２】
0003123575.tif 000004
【図３】
0003123575.tif 000005
【図４】
0003123575.tif 000006
【図５】
0003123575.tif 000007
【図６】
0003123575.tif 000008